(57)【要約】      （修正有）【課題】低コストで透光カバーの落下を防止することができる天井取付用照明器具を提供する。【解決手段】天井に取り付けられて、光源を有する照明器具本体と、照明器具本体に下方から装着される透光カバーと、両端部に鉤部が形成された一対のアーム部を有し、中央部に透光カバーへの取付け部が形成された略Ｖ字状の線ばねと、を備え、照明器具本体に、線ばねのアーム部が挿通される一対の貫通孔を形成するとともに、貫通孔の裏側に鉤部を係合するばね受け部を形成し、線ばねのアーム部を貫通孔に挿通させた状態で透光カバーを照明器具本体に向けて押し込むことにより、線ばねの弾性で線ばねを貫通孔に保持させて透光カバーを照明器具本体に取り付けるようにした天井取付用照明器具において、ばね受け部１５に、上向きの凸壁１７を設け、線ばね３０のアーム部の鉤部側端部に、凸壁１７に係止される係止凹部３４を形成した。【選択図】図９
2013073927.tif 000002
【特許請求の範囲】
【請求項１】
天井に取り付けられて、光源を有する照明器具本体と、
前記照明器具本体に下方から装着される透光カバーと、
両端部に鉤部が形成された一対のアーム部を有し、中央部に前記透光カバーへの取付け部が形成された略Ｖ字状の線ばねと、
を備え、
前記照明器具本体に、前記線ばねのアーム部が挿通される一対の貫通孔を形成するとともに、前記貫通孔の裏側に前記鉤部を係合するばね受け部を形成し、
前記線ばねのアーム部を前記貫通孔に挿通させた状態で前記透光カバーを前記照明器具本体に向けて押し込むことにより、前記線ばねの弾性で線ばねを前記貫通孔に保持させて前記透光カバーを前記照明器具本体に取り付けるようにした天井取付用照明器具において、
前記ばね受け部に、上向きの凸壁を設け、
前記線ばねのアーム部の前記鉤部側端部に、前記凸壁に係止される係止凹部を形成したことを特徴とする天井取付用照明器具。
【請求項２】
前記係止凹部は、前記アーム部と鉤部との間で前記凸壁の頂点部を挟み込むように、前記アーム部の前記鉤部側端部を外側に開いて形成された拘束部を設けたことを特徴とする請求項１記載の天井取付用照明器具。
【発明の詳細な説明】
【技術分野】
【０００１】
本発明は、天井に取り付けられた照明器具本体に対して透光カバーが着脱可能とされた天井取付用照明器具に関する。
【背景技術】
【０００２】
天井に取り付けられて、光源を有する照明器具本体と、照明器具本体に下方から装着される透光カバーと、両端部に鉤部が形成された一対のアーム部を有し、中央部に透光カバーへの取付け部が形成された略Ｖ字状のばね体（Ｖばね、戻りばね）と、を備え、照明器具本体に、ばね体のアーム部が挿通される一対の貫通孔を形成するとともに、貫通孔の裏側に鉤部を係合するばね受け部を形成し、ばね体のアーム部を貫通孔に挿通させた状態で透光カバーを照明器具本体に向けて押し込むことにより、ばね体の弾性でばね体を貫通孔に保持させて透光カバーを照明器具本体に取り付けるようにした天井取付用照明器具として、特許文献１，２に示されるような構成が知られている。
【先行技術文献】
【特許文献】
【０００３】
【特許文献１】特開平１１−３３９５３９号公報
【特許文献２】特開２００９−９７０９号公報
【発明の概要】
【発明が解決しようとする課題】
【０００４】
このような天井取付用照明器具においては、ばね体が破断することがある。ばね体が破断しても透光カバーが落下しないように、一般的には、透光カバーと照明器具とをつなぐ紐が設けられている。しかし、紐を組み付ける分、製造時の組立の手間がかかる上、透光カバーの重量に耐えうる紐を用いる必要があるのでコストがかかる、という問題があった。
そこで、本発明では、低コストで透光カバーの落下を防止することができる天井取付用照明器具を提供することを目的とする。
【課題を解決するための手段】
【０００５】
上記の課題を解決するために、請求項１の発明では、天井に取り付けられて、光源を有する照明器具本体と、前記照明器具本体に下方から装着される透光カバーと、両端部に鉤部が形成された一対のアーム部を有し、中央部に前記透光カバーへの取付け部が形成された略Ｖ字状の線ばねと、を備え、前記照明器具本体に、前記線ばねのアーム部が挿通される一対の貫通孔を形成するとともに、前記貫通孔の裏側に前記鉤部を係合するばね受け部を形成し、前記線ばねのアーム部を前記貫通孔に挿通させた状態で前記透光カバーを前記照明器具本体に向けて押し込むことにより、前記線ばねの弾性で線ばねを前記貫通孔に保持させて前記透光カバーを前記照明器具本体に取り付けるようにした天井取付用照明器具において、前記ばね受け部に、上向きの凸壁を設け、前記線ばねのアーム部の前記鉤部側端部に、前記凸壁に係止される係止凹部を形成したことを特徴とする。
【０００６】
請求項１の発明によれば、線ばねが破断したとしても、アーム部が貫通孔を抜け落ちる際に、係止凹部が貫通孔のすぐ脇に設けた凸壁に係止される。これにより、透光カバーの落下が確実に停止して、透光カバーが完全に落下するおそれはないものとなる。
【０００７】
また、請求項２の発明では、前記係止凹部は、前記アーム部と鉤部との間で前記凸壁の頂点部を挟み込むように、前記アーム部の前記鉤部側端部を外側に開いて形成された拘束部を設けたことを特徴とする。
【０００８】
請求項２の発明によれば、透光カバーが落下した際にも、凸壁が拘束部を確実に保持するので、透光カバーを安定的に支持することが可能となる。
【発明の効果】
【０００９】
本発明によれば、低コストで透光カバーの落下を防止することができる天井取付用照明器具を提供することができる。
【図面の簡単な説明】
【００１０】
【図１】本発明の一実施形態にかかる天井取付用照明器具を下から見た斜視図
【図２】図１に示す天井取付用照明器具を斜め上から見た斜視図
【図３】図１に示す天井取付用照明器具の分解図
【図４】図１に示す天井取付用照明器具の線ばねの拡大図
【図５】図１に示す天井取付用照明器具のばね受け部の拡大図
【図６】線ばねをばね受け部に装着した状態の、天井取付用照明器具の側面図
【図７】透光カバーを照明器具本体に装着した状態の側面図
【図８】従来の線ばねが破断した際に、投光カバーが落下する様子を説明する図
【図９】本発明の一実施形態にかかる線ばねが破断した際に、透光カバーの落下を防止する構造を説明する図
【図１０】本発明の実施形態の変形例を示す図
【発明を実施するための形態】
【００１１】
以下、図に基づいて本発明の実施の形態を説明する。説明の理解を容易にするため、各図面において同一の構成要素に対しては可能な限り同一の符合を付して重複する説明は省略する。
【００１２】
図１は、本発明の一実施形態にかかる天井取付用照明器具を下から見た斜視図であり。図２はこの天井取付用照明器具を斜め上から見た斜視図、図３は天井取付用照明器具の分解図、図４は線ばねの拡大斜視図、図５はばね受け部の拡大図である。
【００１３】
図１〜３に示すように、天井取付用照明器具は、浴室などの天井に取り付けられて、光源を有する照明器具本体１０（以下、本体１０と記す）と、本体１０に下方から装着される透光カバー２０と、を備えている。
【００１４】
また、本体１０と透光カバー２０とは、図２に示すように、略Ｖ字状の線ばね３０で連結されている。
図４に示すように、線ばね３０は、略Ｖ字状をなす一対のアーム部３１を有しており、アーム部３１の基端部に透光カバー２０への取付け部３２が形成され、一対のアーム部３１の両先端部に鉤部３３が形成されている。なお、透光カバー２０のうち、対称となる２箇所に、それぞれ線ばね３０が取り付けられている。
【００１５】
本体１０には、透光カバー２０に取り付けられた線ばね３０を挿通させて、アーム部３１や鉤部３３を本体１０の上方に配置するための貫通孔１３が形成されている。そして、貫通孔１３のすぐ脇には、ばね受け部１５が設けられている。ばね受け部１５の貫通孔１３寄りには、上向きの凸壁１７が設けられている。
【００１６】
透光カバー２０を本体１０に装着する際には、まず、線ばね３０のアーム部３１の先端、すなわち鉤部３３を、線ばね３０を弾性変形させながら貫通孔１３を挿通させて、本体１０の上方に到達させて、図６の状態にする。その状態では、鉤部３３はばね受け部１５に当接しており、透光カバー２０は本体１０から落下しないように支持されている。
この状態から、透光カバー２０を持ち上げると、線ばね３０の広がりが貫通孔１３によって圧縮されるようにして線ばね３０のアーム部３１が貫通孔１３を挿通する。そして、透光カバー２０を完全に持ち上げると、アーム部３１のほぼ全体が本体１０の上方に到達する（図７の状態）。線ばね３０は、アーム部３１の基端部から先端部にかけて広がる形状であるから、この状態で線ばね３０は貫通孔１３による圧縮変形が解除されて、アーム部３１は貫通孔１３の上方で広がっている。これにより、線ばね３０は貫通孔１３に弾性的に保持され、透光カバー２０が落下しないようになる。このようにして、透光カバー２０が本体１０に装着される。
【００１７】
本体１０から透光カバー２０を外す際には、透光カバー２０を下方向に引き下げる。すると本体１０に形成された貫通孔１３に挿通された線ばね３０が貫通孔１３に案内されて圧縮変形して貫通孔１３を下方に挿通し、透光カバー２０が下降していく。そして、線ばね３０の先端に形成された鉤部３３が、本体１０に形成した貫通孔１３のばね受け部１５に係止されて、透明カバー２０及び線ばね３０は下降しなくなる（図６の状態）。この状態で線ばね３０のアーム部３１を手で強制的にすぼめて貫通孔１３から抜けば、透光カバー２０を本体１０から完全に外すことができる。
【００１８】
さて、線ばね３０は金属製であるが、長年使用することによって、経年変化により線ばね３０の途中が破断することがある。線ばね３０の破断によって透光カバー２０が落下する恐れがあったが、本実施形態の天井取付用照明器具では線ばね３０が破断しても透光カバー２０の落下を防止することができる。以下、図に基づいて説明する。
【００１９】
図８は、従来の線ばねが破断した際に、投光カバーが落下する様子を説明する図である。また、図９は、本実施形態における線ばねが破断した際に、透光カバーの落下を防止する構造を説明する図である。
図８（ａ）、（ｂ）に示すように、従来の線ばね３０が破断する場合、線ばね３０は破断点Ａ又は破断点Ｂで折れて破断する。この場合、図８（ｃ）に示すように、線ばね３０が破断すると、線ばね３０が貫通孔１３に弾性的に保持されていた状態が解除され、線ばね３０は貫通孔１３から落下し始める。この際、線ばね３０の落下の勢いにより、ばね受け部１５で線ばね３０の鉤部３３を受け止めることができず、線ばね３０は貫通孔１３から抜け落ちてしまう。
【００２０】
本実施形態においては、本体１０のばね受け部１５の貫通孔寄りに上向きの凸壁１７を設けている。また、線ばね３０のアーム部３１の鉤部側端部に、凸壁１７に係止される係止凹部３４を形成している。なお、係止凹部３４は、アーム部３１の先端部を外向きに曲げ加工された部位である。
そのため図９に示すように、線ばね３０が貫通孔１３を抜け落ちる際に、係止凹部３４が貫通孔１３のすぐ脇に設けた凸壁１７に係止されることになる。この際、係止凹部３４は、アーム部３１を外向きに曲げ加工しているので、破断した線ばね３０が貫通孔１３の端部から離れて落下しても係止凹部３４は凸壁１７に確実に係止されることとなる。
これによれば、たとえ線ばね３０が破断したとしても、線ばね３０の係止凹部３４が本体１０の凸壁１７に確実に係止されて透光カバー２０の落下が停止するので、透光カバー２０が完全に落下するおそれはなくなる。
【００２１】
なお、係止凹部３４と鉤部３３とで、凸壁１７の頂点部を挟むこむことが可能な鋭角の拘束部３５を形成している（図４，５参照）。これにより、透光カバー２０が落下した際にも、凸壁１７が拘束部３５を確実に保持するので、透光カバー２０を安定的に支持することが可能となる。
【００２２】
次に、本発明の実施の形態の変形例について説明する。
図１０は、本発明の実施の形態の変形例を示す図である。
この変形例では、前述した実施形態に対して線ばねの先端の鉤部と係止凹部の形態を変形させている。
図１０（ａ）に示すように、この変形例の線ばね１３０は、一対のアーム部１３１の先端部を外向きに約９０度屈曲させ、さらにその先端を約９０度下向きに屈曲させている。この線ばね１３０においては、下向きの屈曲部１３３が、前述の実施形態における鉤部に相当し、外向きの屈曲部１３４の下部が係止凹部に相当する。
このような形状であっても、図１０（ｂ）に示すように、線ばね１３０の破断後も本体１０に形成したばね受け部１５の凸壁１７に線ばね１３０の係止凹部１３４が確実に係止するので、透光カバー２０が完全に落下するおそれはないものとなる。
【符号の説明】
【００２３】
１０…照明器具本体
１１…光源
１３…貫通孔
１５…ばね受け部
１７…凸壁
２０…透光カバー
３０…線ばね
３１…鉤部
３２…アーム部
３３…取付け部
３４…係止凹部
３５…拘束部
【図１】
2013073927.tif 000003
【図２】
2013073927.tif 000004
【図３】
2013073927.tif 000005
【図４】
2013073927.tif 000006
【図５】
2013073927.tif 000007
【図６】
2013073927.tif 000008
【図７】
2013073927.tif 000009
【図８】
2013073927.tif 000010
【図９】
2013073927.tif 000011
【図１０】
2013073927.tif 000012